【事件の表示】
　特許第３２４５８５２号「包装装置におけるフイルム折込装置」の請求項１、２に係る特許に対する特許異議の申立てについて、次のとおり決定する。
【結　論】
　訂正を認める。
　特許第３２４５８５２号の請求項１に係る特許を維持する。
【理　由】
１．手続の経緯
　特許第３２４５８５２号の請求項１に係る発明は、平成９年１１月１４日に特許出願され、平成１３年１１月２日にその設定登録がなされ、その後、特許異議申立人　北隅康彦より特許異議の申立てがなされ、取消しの理由が通知され、その指定期間内である平成１５年４月２３日に訂正請求がなされたものである。
     　
２．訂正の適否についての判断
（１）訂正の内容
【訂正事項ａ】
　請求項１の記載を、訂正前の「被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する後部フイルム挟持体と、前記後部フイルム挟持体に対応して前記カッタ機構の移送側に設けられ前記後部フイルム挟持体に前記後部フイルムを差し込み案内する押し込み板と、前記押し込み板によって前記後部フイルム挟持体に差し込まれた前記後部フイルムを挟持して前記後部フイルム挟持体を前記被包装物の移送方向に移動させる水平移動機構と、前記水平移動機構により前記後部フイルム挟持体を所定距離移動させた後前記後部フイルム挟持体の前記後部フイルムの挟持を開放する開放機構を設けたことを特徴とする包装装置におけるフイルム折込装置。」を、
 「被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する
一対の回転駆動されるローラから成る
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構
【訂正事項ｂ】
　請求項１の記載の訂正に伴い、【００１２】を、以下のように訂正する。
 【００１２】：
「【課題を解決するための手段】　本発明は、被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する一対の回転駆動されるローラから成る後部フイルム挟持体と、前記後部フイルム挟持体に対応して前記カッタ機構の移送側に設けられ前記後部フイルム挟持体に前記後部フイルムを差し込み案内する押し込み板と、前記後部フイルム挟持体をスライド体に取り付けるとともに、このスライド体をスライド軸に沿い、かつ前記一対の口一ラから成る後部フイルム挟持体によって後部フイルムを挟持しつつ前記一対のローラを回転させることにより前記後部フイルムを引き伸ばしながら前記被包装物の移送方向に移動させる水平移動機構と、前記水平移動機構により前記後部フイルム挟持体を所定距離移動させた後前記後部フイルム挟持体の対向するローラを離間して前記後部フイルムの挟持を開放する解放機構を設けたことを特徴とする包装装置におけるフイルム折込装置である。」
【訂正事項ｃ】
　請求項１の記載の訂正に伴い、【００１３】を、以下のように訂正する。
 【００１３】：  
「【発明の実施の形態】　本発明は、概して、例えば食品入りのトレイからなる被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状のフイルムの後部を挟持する一対の回転駆動されるローラから成る後部フイルム挟持体と、前記後部フイルム挟持体に対応して前記カッタ機構の移送側に設けられ前記後部フイルム挟持体に前記フイルムの後部を差し込み案内する押し込み板と、前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら前記被包装物の移送方向に移動させる水平移動機構と、前記水平移動機構により前記後部フイルム挟持体を所定距離移動させた後前記後部フイルム挟持体の対向するローラを離間して前記後部フイルムの挟特を開放する解放機構を設けたものであり、後部フイルムの折込み終了後に前記後部フイルム挟持体による後部フイルムの挟着状態を開放することにより、後部フイルムの折込みが終了して被包装物を移送する時、後部フイルムは後部フイルム挟持体から自由に抜け出すことができるので、たとえ後部フイルムが折込み状態や切断位置のバラツキによって時として若干長くなってしまった場合にあっても、後部フイルムが被包装物の下面から引き剥がされることを防止できるものである」
     　
 （２）訂正の目的の適否、新規事項の有無及び拡張・変更の存否
ア．訂正事項ａについて：
　請求項１の訂正前の記載の「後部フィルム挟持体」、「前記押し込み板によって前記後部フイルム挟持体に差し込まれた前記後部フイルムを挟持して前記後部フイルム挟持体を前記被包装物の移送方向に移動させる水平移動機構」及び「前記水平移動機構により前記後部フイルム挟持体を所定距離移動させた後前記後部フイルム挟持体の前記後部フイルムの挟持を開放する開放機構」を、それぞれ、「
一対の回転駆動されるローラから成る
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構
　そして、明細書の段落【００３６】、【００３７】の「・・・・後部フイルム挟持体１９の移動にともなって、後部フイルム挟持体１９のローラ１７を回転駆動する回転機構３３を設けている。後部フイルム挟持体１９のローラ１７の回転機構３３は、固定側である保持枠２１側のローラー１７の端部に設けられた歯車３４とこの歯車３４に歯合し、包装装置の機台３５に被包装物１の搬送方向とほぼ平行に所定長さを有して設けられたラック体３６とから構成されている。こうすることによってフイルムＦの後部Ｆ２の折込動作に必要である後部フイルム挟持体１９の被包装物１の移送方向への水平移動に伴って、ローラ１７の歯車３４がラック体３６に歯合しつつ回転し、ローラ１７を回転させて、この回転駆動する対向配設されたローラ１７間に挟持された後部フイルムＦ２表面との摩擦力によって所定の引張力で後部フイルムＦ２を被包装物１の下方側に向けて引っ張りながら折込が行われることになる」、同【００３３】の「この水平移動機構２８は、被包装物１の搬送方向に平行に設けられたスライド軸２９を設け、このスライド軸２９に貫通されてこのスライド軸２９に沿って摺動移動可能に設けられたスライド体３０を設け、このスライド体３０に前記後部フイルム挟持体１９を取り付け、一端部をこのスライド体３０に連結するとともに、他端部を回転するカム板３１の周面に弾圧的に接触し、中央部を回動支点とする作動杆３２を設け、切断刃１５の上昇，下降動作に伴って回転するカム板３１により作動杆３２を介して後部フイルム挟持体１９を水平方向つまり被包装物１の移送方向と平行に移動可能に設けている。」、及び、同【００５１】の「更に、折込み終了後にあっては、水平移動機構２８による後部フイルム挟持体１９を所定距離移動させた後、解放機構３７によって、後部フイルム挟持体１９の搬送側端部位置で、後部フイルム挟持体１９の対向するローラ１７，１７が離間することにより後部フイルムＦ２の挟持が開放される（図１４参照）。」の記載からみて、これらの訂正は、願書に添付した明細書及び図面に記載された事項の範囲内の訂正であり、実質上特許請求の範囲を拡張し、又は変更するものでもない。
イ．訂正事項ｂ乃至訂正事項ｃについて：
　請求項１の記載の訂正に伴う訂正であるので、明りょうでない記載の釈明を目的とする訂正であり、願書に添付した明細書及び図面に記載された事項の範囲内の訂正である。そして、実質上特許請求の範囲を拡張し、又は変更するものでもない。
　　　
（３）むすび
　したがって、上記訂正は、特許法第１２０条の４第２項及び同条第３項で準用する第１２６条第２項及び第３項の規定に適合するので、当該訂正を認める。
     　
３．特許異議申立について
（１）申立の理由の概要
　特許異議申立人　北隅康彦は、請求項１に係る発明は、甲第１号証に記載された発明であり、また、請求項２において特定された事項は甲第２号証に記載されているので、請求項１及び２に係る発明は、特許法第２９条第１項若しくは第２項の規定により、特許を受けることができないものであるから、特許を取り消すべきと主張している。
     　
甲第１号証：特開昭５２−１３５３７５号公報
甲第２号証：特開昭５０−１５０５８９号公報
甲第３号証：実願昭５６−４２７０５号（実開昭５７−１５６４０１号）のマイクロフィルム
甲第４号証：実願昭５３−１０８９５号（実開昭５４−１１６１６８号）のマイクロフィルム
     　
（２）本件発明
　本件の訂正において、請求項２は削除され、また、上記２．で示したように上記訂正が認められたから、本件の請求項１に係る発明（以下、「本件発明」という。）は、以下のものである。
「被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する
一対の回転駆動されるローラから成る
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構
     　
（３）刊行物の記載事項
　異議申立人が証拠として提出した刊行物には、以下の事項が記載されている。
甲第１号証：
  甲第１号証は、被包装物を筒状に被包したフィルムの耳部折り曲げ装置に関するものであって、次の記載がある。  
１−ａ：
　甲第１号証第１図（イ、ロ参照）及び第２図には、被包装物１０９を搬入する搬入機構Ｂと、フイルムロール１０２から引き出さるフイルム１０４を前記被包装物１０９と同じ方向に移送し続いて同フイルムの両側縁を被包装物の下方へ案内して筒状に形成する製筒機構１０７、１０８と、前記フイルムの両側縁を 被包装物の底部で重ね合せてシールする底シール機構２０１と、筒状に形成されたフイルムを前記被包装物間で切断するカッター機構１１とが開示（３頁上左欄１０行〜同右欄末２行参照）されている。
１−ｂ：
　甲第１号証の第４図、第５図（イ）には、カッター１１によって切断した後部フイルムの耳部２０３を、押し込み板１４によって摩擦係合部材３５とローラ３８との間に差込案内する構成を開示（３頁上右欄末２行〜同下左欄３行参照）している。
１−ｃ：
　「後側のフイルム耳部折り込みローラ３８は進行方向に摩擦係合部材３５に接触して自転しながら前進し、該フイルム耳部２０３をトレイ１０９の下面に折り込み圧着せしむる。（第５図（ロ’）、（ハ’）、（ニ’）参照）」（３頁下左欄１１行〜１５行）の記載があり、第５図（ロ′〜ニ′)の記載を合わせて考察すると、摩擦係合部材３５とローラ３８とが後部フイルム２０３の挟持体を構成し、前記ローラ３８を水平に移動させるチェン３７がフイルムの水平移動機構を構成していることが理解できる。
　以上の記載を総合すると、甲１号証には、カッター機構によって切断された後部フィルムの耳部を押し込み板によって摩擦係合部材とローラからなる挟持体間に差し込み、被包装物（トレイ）の下面に圧着せしむるフィルム折込装置が記載されているものと認められる。 
 甲第２号証：
　甲第２号証は、被包装物を筒状に被包したフィルムの後部耳部折曲げ装置に関するものであり、次のことが記載されている。
２−ａ：
　被包装物の被包用のコンベア移送に関して、特許請求の範囲に「多数のコロを有する第１コンベアに１カ所乃至数カ所の空間部を設けると共に該第１コロコンベアの上方位置に前記第１コロコンベアに対して速度差を有する被包装物を挟持、搬送する一対のサイドコンベアを配置し、さらに前記第１コロコンベアの空間部に被包装物の耳部が位置したときに作動するフィルム耳部吸引部材をその下方に設け、かつ前記第１コロコンベアの空間部に入り、同速度で前進する第２コロコンベアを設けたことを特徴とする被包装物を筒状に被包したフィルムの後部耳部折曲げ装置。」が記載されている。
２−ｂ：
  包装手段に関して、２頁左下欄末４行〜３頁左上欄３行には、第１コロコンベアと第２コロコンベアの動きと吸引部材の作用により被包装物の包装作用が行われる説明として「被包装物２の動きよりも速いスピードで走行する第１ローラチェ−ンコンベア７（以後第１コロコンベアと称す）のローラが自転しながら通過する・・・このとき第２吸引部材１０の吸引作用により、ストレッチフィルムの後部耳部１１が瞬間的に第２吸引部材１０上に吸引されると同時に前記第１コロコンベア７と同スピードで走行する第２ローラチェーン１２・１３・１３（以後第２コロコンベアと称す）が前記空間部８内に入り、該第２コロコンベアの後端ローラ１３と第１コロコンベア７の先端ローラ１４間に挟持された状態（第５図参照）で前進する。・・・・、前記第２コロコンベア１２が水平状態で走行するとき、該第２コロコンベア１２を案内するローラガイド２３・２３をスプリング１５・１６にて上方に押圧しているので、前後端耳部６・１１が被包装物２の下側に均等押圧され包装が完了する。」との記載がある。
　以上の記載からみて、甲第２号証のものには、一対のサイドコンベアで挟持されて移送される被包装物をストレッチフィルムで被包し、被包装物を底部側からスプリングで押圧しながら第１コロコンベアと第２コロコンベアの移送機構でフィルム端部を挟持して被包装物を追い越して移送することにより、被包装物を搬送しながら被包装物底部側から被包フィルムを均等な押圧力で圧着包装する装置が記載されている。
甲第３号証：
  甲第３号証は自動包装装置に関するものであり、後部フィルムの挟持に関して、２枚の板状材である固定片２５と、クリップ可動片２７間でばね２９の押圧力によりフィルム６を挟持固定しながら、固定片とクリップ間に挟持されているフィルムを押し込み具で差し込むことが開示されている。
甲第４号証：
  甲第４号証は包装機における折込み装置に関するものであり、被包装物ＡをトレイＴ上で挟持して搬送しながらチューブ状体Ｃで包装し、チューブ端部をロール対１６，１７で挟持しながら複数の棒材１５でそのチューブ端部をロール対間に押し込む際に、ロール１６はスプリング機構２０で圧力調整されながらチューブＣを折り込むようになっていることが開示されている。
     　
（４）対比・判断   
  　甲第１号証記載の発明（前者）と本件発明（後者）とを対比して検討すると、
　前者の「被包装物109」、「搬入機構Ｂ」、「フィルムロール102」、「フィルム104」、「フィルム移送・送り機構のガイドロール105、106」、「製袋機構のベルト107、108」、「底シール圧着機構のシールローラー201」、「カッター11」、「後部フィルム203の折り込みローラ38」、「押し込み板14」は、
　後者の「被包装物」、「搬入機構」、「フィルムロール」、「フィルム」、「フィルム送り機構」、「製袋機構」、「底シール機構」、「カッター機構」、「後部フィルム挟持体」、「押し込み板」にそれぞれ相当し、
　かつ、
　両者は、押し込み板によって後部フイルム挟持体に差し込まれた後部フイルムを挟持して後部フイルム挟持体を被包装物の移送方向に移動させる水平移動機構と、水平移動機構により後部フイルム挟持体を所定距離移動させた後、後部フイルム挟持体の後部フイルムの挟持を開放する開放機構（甲第１号証のものにおいても、摩擦係合部材35の終端からローラ38が外れることによって必然的に後部フィルムの挟持が開放される）を設けた包装装置におけるフイルム折込装置である点では同じであるから、
　本件発明の用語を用いて表現すると、両者は、
「被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する後部フイルム挟持体と、前記後部フイルム挟持体に対応して前記カッタ機構の移送側に設けられ前記後部フイルム挟持体に前記後部フイルムを差し込み案内する押し込み板と、前記押し込み板によって前記後部フイルム挟持体に差し込まれた前記後部フイルムを挟持して前記後部フイルム挟持体を前記被包装物の移送方向に移動させる水平移動機構と、前記水平移動機構により前記後部フイルム挟持体を所定距離移動させた後前記後部フイルム挟持体の前記後部フイルムの挟持を開放する開放機構を設けたことを特徴とする包装装置におけるフイルム折込装置。」で一致し、次の相違点がある。
＜相違点＞　
　相違点１：本件発明が「カッタ機構により切断された筒状の後部フイルムを挟持する
一対の回転駆動されるローラから成る
　相違点２：本件発明が「
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
　相違点３：本件発明が「前記水平移動機構により前記後部フイルム挟持体を所定距離移動させた後前記後部フイルム挟持体の
対向するローラを離間して
解放機構
＜判断＞
（本件発明は甲第１号証に記載された発明であると主張する点について）
　上記したように、本件発明と甲第１号証記載の発明とは、相違点１〜３があるから、本件発明が甲第１号証記載の発明であるとすることはできない。
　よって、異議申立人の、本件発明が特許法第２９条第１項の規定により特許を受けることができないとする主張を、採用することはできない。
（本件発明は甲第１〜４号証に記載された発明に基づいて当業者が容易に発明をすることができたものであると主張する点について） 
　相違点について検討する。
　甲第２号証には、一対のサイドコンベアで挟持されて移送される被包装物をストレッチフィルムで被包し、被包装物を底部側からスプリングで押圧しながら第１コロコンベアと第２コロコンベアの移送機構でフィルム端部を挟持して被包装物を追い越して移送することにより、被包装物を搬送しながら被包装物底部側から被包フィルムを均等な押圧力で圧着包装する装置については記載されてはいるが、相違点１に当たる一対の回転駆動されるローラから成る後部フィルム挟持体の構成や、相違点２に当たる後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら前記被包装物の移送方向に移動させる水平移動機構の構成までは記載してないし、示唆するものもない。
　また、甲第３および４号証をみても、本件発明の上記相違点２の構成については何ら記載されていない。
　よって、相違点３について検討するまでもなく、本件発明は、甲第１号証〜甲４号証記載のものから、当業者が容易に発明をすることができたものとも認められない。
　　　
（５）むすび
 　以上のとおりであるから、特許異議申立の理由及び証拠によっては、本件請求項１に係る特許を取り消すことができない。
 　また、他に特許を取り消すべき理由を発見しない。
 　よって、結論のとおり決定する。
【異議決定日】
平成１５年５月２２日（２００３．５．２２）
【訂正の要旨】
　・訂正事項ａ
　特許第３２４５８５２号発明の明細書中の特許請求の範囲の請求項１および請求項２において、特許請求の範囲の減縮を目的として、もとの請求項２を削除し、新たな請求項１として
「被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する
一対の回転駆動されるローラから成る
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構
と訂正する。
　これに伴い、特許請求の範囲の記載と発明の詳細な説明の記載の整合をとるため、以下の訂正事項ｂおよび訂正事項ｃを明りょうでない記載の釈明を目的として訂正する。
　・訂正事項ｂ
　明細書の補正対象項目名【００１２】を、
「　【課題を解決するための手段】
　本発明は、被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する
一対の回転駆動されるローラから成る
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構を設けたことを特徴とする包装装置におけるフイルム折込装置である。
　・訂正事項ｃ
　明細書の補正対象項目名【００１３】を、
「　【発明の実施の形態】
　本発明は、概して、例えば食品入りのトレイからなる被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状のフイルムの後部を挟持する一対の
回転駆動される
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構
（５４）【発明の名称】
包装装置におけるフイルム折込装置
（５７）【特許請求の範囲】
　【請求項１】　被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する
一対の回転駆動されるローラから成る
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構
【発明の詳細な説明】
　【０００１】
　【発明の属する技術分野】
　本発明は、被包装物を搬入して、フイルムロールから引き出されたフイルムを展張しつつフイルムを筒状に形成して被包装物に被せ、フイルムの両端縁を被包装物の底部で重ね合わせて底シールし、筒状に形成されたフイルムを前記被包装物間でカッタにて切断し、前記カッタにより切断された筒状フイルムの前部及び後部を被包装物の底面に沿わせて折り畳むフイルム折込装置に関するものである。
　【０００２】
　【従来の技術】
　従来、フイルムロールから引き出されたフイルムを展張しつつフイルムを筒状に形成して被包装物に被せ、フイルムの両端縁を被包装物の底部で重ね合わせて底シールし、筒状に形成されたフイルムを前記被包装物間でカッタにて切断し、前記カッタにより切断された時に発生する筒状の余剰フイルム箇所である、被包装物の前側に位置する前部フイルム及び被包装物の後側に位置する後部フイルムを、それぞれ被包装物の底面に沿わせて折り畳むフイルム折込装置が、例えば実開平１−１６８４０３号公報や実開平２−３１８０１号公報等にて提案されている。
　【０００３】
　これらの包装装置における折込装置は、筒状に形成されたフイルムを前記被包装物間でカッタにて切断し、この切断された時に発生する筒状の前部フイルム及び後部フイルムからなる余剰フイルム箇所を、被包装物の下方に設けられた吸引機構により吸い込んで、前部フイルム及び後部フイルムを下方向に引っ張りながら被包装物を搬送させることにより、被包装物の下面に余剰フイルムを折り畳む構成を為し、前部フイルムにおいては被包装物をそのまま搬送させることで前部のフイルムが被包装物の下方に自然に沿う形で底面に折り畳まれ、後部フイルムにあっては被包装物の搬送速度よりも高速で回転するチェーンローラによって後部フイルムを絡めながら被包装物の下方に沿わせて折り畳まれるものである。
　【０００４】
　このように、従来の包装装置における折込装置にあっては、余剰フイルムの折込のために大がかりな吸引機構を設けているため、この吸引機構の騒音の問題や前部フイルム及び後部フイルムの端部の吸い込みが確実でないといった問題がある。またこの吸引機構や構造の複雑なチェーンローラに要するコストがかかりすぎるといった問題もあった。
　【０００５】
　また、吸引機構によるフイルムの引っ張り力にて前部及び後部フイルムを折り込むものであるためフイルムの展張力が弱く、包装体の表面のフイルムに皺が発生したり前部及び後部フイルムがきれいに被包装物の下面に折り込まれないことがあり、特にストレッチフイルムを用いたこの種の包装装置により形成される包装体にあっては、包装体の見た目の悪さは消費意欲を低減させる原因となり、包装の仕上がり具合の品質の良さも包装装置に求められるようになってきている。
　【０００６】
　そこで本願出願人は、大がかりな吸引機構や構造の複雑なチェーンローラを設けること無く簡単な構成にして且つ確実なフイルム折込を可能とし、かつ包装体表面の仕上がりのきれいな包装装置におけるフイルム折込装置を提供するために特願平９−１３６６０７号に示すような装置を先に提案している。
　【０００７】
　先の出願によれば、被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、前記カッタ機構の前後に設けられ前記カッタ機構により切断された筒状の前部フイルム及び後部フイルムを挟持するそれぞれ一対のローラから成るフイルム挟持体と、前記フイルム挟持体に対応して前記カッタ機構の前後に設けられ前記フイルム挟持体に前記前部フイルム及び後部フイルムを差し込み案内する押し込み板とを備え、前記押し込み板によって前記フイルム挟持体に差し込まれた前記前部フイルム及び後部フイルムを前記フイルムの折込動作とともに前記被包装物の下方側に向けて引っ張り駆動するよう前記フイルム挟持体の前記ローラを回転駆動する回転機構を設けたものである。
　【０００８】
　こうすることにより、前記前部及び後部フイルム挟持体のローラによって前部フイルム及び後部フイルムを被包装物の下方向に所定の力で引っ張りながら折込が行われるので包装体の表面にフイルムの皺を発生させること無く、前部及び後部フイルムをきれいに被包装物の下面に沿わせて折り込むことができ、外観の良い包装体を形成することができるようにしている。
　【０００９】
　【発明が解決しようとする課題】
　この際、前記前側フイルムは、回転駆動する前部フイルム挟持体によって前部フイルムの端部を挟持して下方向に引っ張りながら被包装物を搬送させることにより被包装物の下面に折り込まれるものであり、例えば、前部フイルム挟持体に挟持される前部フイルムが折込み状態や切断位置のバラツキによって時として若干長くなってしまった場合、前部フイルム挟持体に前部フイルムが挟持されたままの状態で被包装物を搬送したとしても、被包装物の移送方向と前部フイルムの折込み方向が逆方向であるため一度折り込んだ前部フイルムが被包装物の下面から離れてしまうことは比較的少ない。
　【００１０】
　しかしながら、後部フイルムは、後部フイルム挟持体を被包装物の移送方向に移動させることによりフイルムを折り込むものであり、この場合後部フイルムの折込み方向が被包装物の移送方向と同じであるため、一度折り込まれた後部フイルムが、後部フイルム折込み終了後の被包装物の搬送によって被包装物の下面から離れてしまうことがあった。つまり、後部フイルム挟持体に挟持される後部フイルムが折込み状態や切断位置のバラツキによって時として若干長くなってしまった場合、後部フイルム挟持体に後部フイルムが挟持されたままの状態で被包装物を搬送すると、せっかく折り込まれた状態にあった後部フイルムが被包装物の下面から離れてしまうことがあったり、部分的に後部フイルムの端部がめくれた上がった状態になってしまうことがあり、包装体の見た目を悪くする原因となっていた。このように、後部フイルムの折込み終了時に包装形態の乱れが生ずることがあった。
　【００１１】
　そこで、本発明は上述の問題に鑑み成されものであり、一度折り込まれた後部フイルムが後部フイルム折込み後の被包装物の搬送によって被包装物の下面から離れてしまうことを防止することを目的とし、後部フイルムの良好な折り曲げ状態を維持して仕上がりのきれいな包装体を形成することを目的とする。
　【００１２】
　【課題を解決するための手段】
　本発明は、被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状の後部フイルムを挟持する
一対の回転駆動されるローラから成る
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構を設けたことを特徴とする包装装置におけるフイルム折込装置である。
　【００１３】
　【発明の実施の形態】
　本発明は、概して、例えば食品入りのトレイからなる被包装物を搬入する搬入機構と、フイルムロールから引き出されたフイルムを前記被包装物と同じ方向に移送するフイルム送り機構と、前記フイルムの両端縁を被包装物の下方へ案内しフイルムを筒状に形成する製袋機構と、前記フイルムの両端縁を被包装物の底部で重ね合わせてシールする底シール機構と、筒状に形成されたフイルムを前記被包装物間で切断するカッタ機構と、被包装物の移送方向に対し前記カッタ機構の移送側に設けられ前記カッタ機構により切断された筒状のフイルムの後部を挟持する一対の
回転駆動される
前記後部フイルム挟持体をスライド体に取り付けるとともに、このスライド体をスライド軸に沿い、かつ前記一対のローラから成る後部フイルム挟持体によって後部フイルムを挟持しつつ前記一対のローラを回転させることにより前記後部フイルムを引き伸ばしながら
対向するローラを離間して
解放機構
　【００１４】
　【実施例】
　以下図面を基にして本発明の実施例を説明する。図１〜図１６は、本発明の一実施例を示すものである。
　【００１５】
　本発明の包装装置は、概してトレイＴに食品等の内容物Ｗを収納した被包装物１を搬入する搬入機構２と、フイルムロールＲから引き出されたストレッチフイルムからなるフイルムＦを展張しつつ被包装物１と同じ方向に移送するフイルム送り機構３と、フイルムＦの両端縁を被包装物１の下方へ案内しフイルムＦを筒状に形成する製袋機構４と、フイルムＦの両端縁を被包装物１の底部で重ね合わせてシールする底シール機構５と、筒状に形成されたフイルムＦを被包装物１間で切断するギロチン状のカッタ機構６と、カッタ機構６の前後に設けられカッタ機構６により切断されて生ずる筒状の前部フイルムＦ１及び後部フイルムＦ２を被包装物１の底面に沿わせて折り込む折込機構７と、被包装物１をフイルム包装して折込の完了した包装体Ｂを搬出する搬出機構８とから構成される。
　【００１６】
　搬入機構２は無端状のチェーンコンベア９に所定間隔で起立，傾倒可能な搬送凸部１０を設け、このチェーンコンベア９を回転駆動させることにより順次被包装物１をフイルム送り機構３に向けて等間隔で送り込むものである。搬送凸部１０は、その搬送凸部１０が搬送面に位置する時には起立状態を為して被包装物１を搬送可能な状態となり、チェーンコンベア９の搬送側終端部まで移動すると反転し、搬送面の反対側に位置するときには傾倒して連続的な回転駆動が為されるようになっている。
　【００１７】
　フイルム送り機構３は、図３に示すように包装装置の上部に支持されたフイルムロールＲから引き出されたフイルムＦを展張しつつ搬入機構２により搬入されてくる被包装物１と同じ方向にほぼ同速度でフイルムＦを移送するものであり、このフイルム送り機構３は、両端が回転ロールで支持された無端状ベルト体１１を設け、この無端状ベルト体１１を上下に重合させて設置しそのベルト面同志を互いに接触させて設けたものを、被包装物１の進行方向に対して左右にそれぞれ設けている。この無端状ベルト体１１は被包装物１の進行方向に向けて下方に傾斜させて設置されるものである。フイルムＦは、幅方向の両端縁をこの左右の無端状ベルト体の１１の重合されたベルト面の間で挟持され被包装物１の進行方向に向けて移送され、搬送される被包装物１の上面から徐々にフイルムＦを被せるものである。
　【００１８】
　搬入機構２の移送方向側にはそれぞれ相反する方向に回転して被包装物１の側面を挟持して搬送するサイドベルトコンベア１２を設けており、搬入機構２後端部から搬出機構８手前まではこのサイドベルトコンベア１２によって被包装物１及び筒状のフイルムＦの搬送を行うものである。
　【００１９】
　製袋機構４は、フイルム送り機構３により移送されるフイルムＦの左右の両端縁を徐々に被包装物１の底部の中央部に向けて案内移送するものであり、サイドベルトコンベア１２の搬入側に取り付けられたフイルムガイド棒１３から成るものである。
　【００２０】
　このフイルムガイド棒１３は搬入側が上方から下方に向けて垂直部１３Ａを有し、被包装物１の搬送面より若干低い位置にて折曲げられて搬入側から搬送側へ向けて水平部１３Ｂを有した形状を為して左右に設けられ、前述したフイルム送り機構３の左右の無端状ベルト体１１のフイルム開放部のある両側縁から底シール機構５のある中央部に向けてフイルムＦをしぼり込むよう漸次幅狭に配置されている。このフイルムガイド棒１３からなる製袋装置４によって、被包装物１に対してフイルムＦの左右両端縁が被包装物１の底部中央に向けて案内され、フイルムＦを筒状に形成するものである。
　【００２１】
　底シール機構５は、前記製袋機構４によって被包装物１の底部中央部に案内されたフイルムＦの両端縁を重ね合わせてシールするものであり、当接状態で配置された左右一対のシールロール１４からなるものである。このシールロール１４間にフイルムＦの両端縁が重合されたフイルムＦを挟持搬送することによりフイルムＦの底シールを施すものであり、フイルムＦの材質が自己圧着性のものからなる場合には特にヒータ機能を持たせる必要はないが、場合によってはシールロール１４にヒータ機能を持たせて密着性を上げるよう構成することもある。
　【００２２】
　カッタ機構６は、底シール機構５によりフイルムＦが底部でシールされ筒状に形成されたフイルムＦを被包装物１の前後で切断するものであり、被包装物１の搬送面の上方に鋸刃状の切断刃１５を備え、この切断刃１５を上下移動可能に設けたギロチン状のものである。
　【００２３】
　また、この切断刃１５対応位置の搬送面の下方には、切断刃１５の対応位置から若干前後にずらして設置されるとともに前記切断刃１５の上下動に応動して上下動する受け板１６を設けている。つまり、切断の際切断刃１５の下降に対応して下部の受け板１６が上昇するようにし、切断後切断刃１５が上昇すると受け板１６が下降して退避動するよう構成している。こうすることによって切断時には、切断刃１５及び受け板１６が筒状のフイルムＦに向けて接近し、その後切断刃１５と受け板１６とが上下方向に重合し、その間に位置する筒状のフイルムＦが切断されるものであり、良好で確実な切断が行えるようになっている。
　【００２４】
　折込機構７は、前記カッター機構６により切断された時に生ずる余剰フイルムである前部フイルムＦ１及び後部フイルムＦ１を挟持するために、それぞれ一対のローラ１７から成る前部フイルム挟持体１８及び後部フイルム挟持体１９を設けるとともに、カッタ機構６の前後に設けられ前部フイルム挟持体１８及び後部フイルム挟持体１９に対応して設けられ前部フイルムＦ１及び後部フイルムＦ２を差し込み案内する押し込み板２０とから構成されるものである。
　【００２５】
　なお、説明上、カッタ機構６により切断された被包装物１入りの筒状のフイルムＦに対し、被包装物１の移送方向側を前部フイルムＦ１，移送方向手前側を後部フイルムＦ２と定義することとし、以下においては、このように統一して説明することにする。
　【００２６】
　押し込み板２０は、カッタ機構６の切断刃１５と一体に取り付けられており、前部フイルム挟持体１８と後部フイルム挟持体１９の位置に対応して垂下する板状部材を切断刃１５の前後に所定間隔を為して取り付けられており、フイルムＦの切断時には切断刃１５の下降動作にともなって同体的に下降するものであり、切断により発生する余剰のフイルムＦである前部フイルムＦ１及び後部フイルムＦ２をフイルム挟持体１８，１９に向けて差し込み案内するものである。
　【００２７】
　前部及び後部のフイルム挟持体１８，１９は同様の構成からなり、一対のローラ１７を対向状態に設け、一方のローラ１７の軸心を保持枠２１に固定し、他方のローラ１７の軸心を保持枠に対し接離移動可能な移動枠２２に軸支し、保持枠２１と移動枠２２とを互いにスプリングＳによって掛け止めることで、移動枠２２に支持されたローラ１７を保持枠２１のローラ１７に対して弾圧的に押圧状態に取り付けた構成を為し、前部フイルムＦ１及び後部フイルムＦ２の端部を押し込み板２０とともにローラ１７間に挟持し、その後押し込み板２０のみが切断刃１５の上昇とともにローラ１７から抜け出してローラ１７間に残された前部フイルムＦ１及び後部フイルムＦ２を挟持するものである。この前部フイルム挟持体１８及び後部フイルム挟持体１９はそのローラ１７上端が、被包装物１の底面（搬送面）とほぼ同等、もしくは若干下方に配置されるよう位置設定されている。
　【００２８】
　前部フイルムＦ１の折込に際し前部フイルム挟持体１８は、特に移動機構を設けることなく固定状態で配設され、前部フイルム挟持体１８に前部フイルムＦ１を挟持しながら被包装物１のみを搬送させることで自然にフイルムＦの前部Ｆ１が被包装物１の底面に沿って折曲げられるものである。
　【００２９】
　そして、この前部フイルム挟持体１８にあっては、前記押し込み板２０によって前部フイルム挟持体１８に差し込まれた前部フイルムＦ１を被包装物１の移送とともに被包装物１の下方側に向けて引っ張り駆動するよう前部フイルム挟持体１８のローラ１７を回転駆動する回転機構２３を設けている。
　【００３０】
　この場合、前部フイルム挟持体１８の回転機構２３は、固定側である保持枠２１側のローラ１７の端部に従動プーリー部２４を設け、所定の動力軸２５に設けられた駆動プーリー２６との間に無端状の紐状ベルト２７を掛け渡して構成している。動力軸２５はサイドベルトコンベア１２による被包装物の移送にともなって回転して駆動プーリー２６を回転させるものであり、この駆動プーリー２６が回転することにより紐状ベルト２７を介して従動プーリー部２４を回転させ、この従動プーリー部２４と同軸のローラ１７を回転させて、この回転駆動する対向配設されたローラ１７間に挟持された前部フイルムＦ１表面との摩擦力によって所定の引張力で前部フイルムＦ１を被包装物１の移送とともに被包装物１の下方側に向けて引っ張りながら折込が行われることになる。よって、この引っ張り力によって前部フイルムＦ１は展張力を作用させながら被包装物の前側から底面に沿って折り込まれることとなり、包装体Ｂの表面にフイルムＦの皺を発生させること無く外観品質の良い包装体Ｂを形成することができる。
　【００３１】
　この際、前部フイルム挟持体１８のローラ１７，１７は、例えばウレタンゴムからなり、フイルムＦに密着しにくい材質のものからなり、前部フイルムＦ１をこの回転駆動されるローラ１７，１７によって前部フイルムＦ１を挟持し、前部フイルムＦ１を下方向に滑らせながらこの摩擦力によって引っ張ることにより、折込みに際しローラ１７，１７間から抜け出しつつある前部フイルムＦ１全体に常に展張力を付与させつつ前部フイルムＦ１を充分に引き伸ばしながら折込みが行われる。
　【００３２】
　一方、後部フイルムＦ２の折込に際しては前部フイルムＦ１の単純な折込とは異なり、後部フイルムＦ２折込用の後部フイルム挟持体１９を、被包装物１の移送方向側に移動させる必要がある。本実施例にあっては後部フイルム挟持体１９を被包装物１の移送方向側に移動する水平移動機構２８を被包装物の搬送とは独立させて設けている。
　【００３３】
　この水平移動機構２８は、被包装物１の搬送方向に平行に設けられたスライド軸２９を設け、このスライド軸２９に貫通されてこのスライド軸２９に沿って摺動移動可能に設けられたスライド体３０を設け、このスライド体３０に前記後部フイルム挟持体１９を取り付け、一端部をこのスライド体３０に連結するとともに、他端部を回転するカム板３１の周面に弾圧的に接触し、中央部を回動支点とする作動杆３２を設け、切断刃１５の上昇，下降動作に伴って回転するカム板３１により作動杆３２を介して後部フイルム挟持体１９を水平方向つまり被包装物１の移送方向と平行に移動可能に設けている。
　【００３４】
　具体的には、カッタ機構６の切断刃１５及び押し込み板２０が下降し、フイルムＦが切断され、前部フイルムＦ１及び後部フイルムＦ２が、前部フイルム挟持体１８及び後部フイルム挟持体１９に差し込み案内されて前部フイルム挟持体１８及び後部フイルム挟持体１９に挟持され、押し込み板２０及び切断刃１５が上昇した後に、後部フイルム挟持体１９が搬送方向に水平移動するようにカム板３１の形状が設定されている。
　【００３５】
　このとき被包装物１は停止状態で、後部フイルムＦ２を挟持した後部フイルム挟持体１９のみが被包装物１の移送方向へ移動することにより、後部フイルムＦ２が被包装物１の底面に沿って折り込まれることになる。
　【００３６】
　この場合、実施例にあっては、後部フイルム挟持体１９は、水平移動機構２８による後部フイルム挟持体１９の移動にともなって、後部フイルム挟持体１９のローラ１７を回転駆動する回転機構３３を設けている。
　【００３７】
　後部フイルム挟持体１９のローラ１７の回転機構３３は、固定側である保持枠２１側のローラー１７の端部に設けられた歯車３４とこの歯車３４に歯合し、包装装置の機台３５に被包装物１の搬送方向とほぼ平行に所定長さを有して設けられたラック体３６とから構成されている。こうすることによってフイルムＦの後部Ｆ２の折込動作に必要である後部フイルム挟持体１９の被包装物１の移送方向への水平移動に伴って、ローラ１７の歯車３４がラック体３６に歯合しつつ回転し、ローラ１７を回転させて、この回転駆動する対向配設されたローラ１７間に挟持された後部フイルムＦ２表面との摩擦力によって所定の引張力で後部フイルムＦ２を被包装物１の下方側に向けて引っ張りながら折込が行われることになる。
　【００３８】
　この際、後部フイルム挟持体１９のローラ１７，１７は、前部フイルム挟持体１８のローラ１７，１７と同様、例えばウレタンゴムからなり、フイルムＦに密着しにくい材質のものからなり、後部フイルムＦ２をこの回転駆動されるローラ１７，１７によって後部フイルムＦ２を挟持し、後部フイルムＦ２を下方向に滑らせながらこの摩擦力によって引っ張ることにより、折込みに際しローラ１７，１７間から抜け出しつつある後部フイルムＦ２全体に常に展張力を付与させつつ後部フイルムＦ２を充分に引き伸ばしながら折込みが行われる。
　【００３９】
　こうして後部フイルムＦ２の折込が容易に行えるとともに、後部フイルムＦ２を被包装物１の下方向に所定の力で引っ張りながら被包装物の後側から底面に沿って折込が行われるので包装体Ｂの表面にフイルムＦの皺を発生させること無く包装体Ｂを形成することができる。
　【００４０】
　また、後部フイルム挟持体１９の水平移動にともなって後部フイルム挟持体１９のローラ１７がフイルムＦの後部Ｆ２を被包装物１の下方に向けて引っ張るように回転するので、水平移動のための単一の駆動源により後部フイルム挟持体１９のローラ１７の回転駆動を生み出すことができ構造の簡略化を図ることも可能となる。
　【００４１】
　また、後部フイルム挟持体１９は水平移動機構２８により被包装物１に対して搬送方向側に水平移動することにより後部フイルムＦ２を被包装物１の搬送方向側に折り曲げて被包装物１の下面に折込みを行うものであるが、本発明では、この折込み動作終了後に前記後部フイルム挟持体１９の挟持を開放する解放機構３７を備えている。
　【００４２】
　この解放機構３７は後部フイルムＦ２を挟持する後部フイルム挟持体１９の一対のローラ１７，１７を互いに離間させることにより後部フイルムＦ２の挟持を開放するものである。
　【００４３】
　つまり、図５及び図６または図８及び図９に示すように、後部フイルム挟持体１９の保持枠２１に軸支された固定側のローラ１７に対し、移動枠２２に軸支された可動側のローラ１７を、移動枠２２に設けられる支軸３８を基点として上端を回動可能に設け、この可動側のローラ１７の移動枠２２から一体に押し当て部３９を設ける一方、包装装置の機台３５側に固定受け止め体４０を設けることにより、後部フイルム挟持体１９の搬送側への水平移動が終了する移動端部位置で可動側のローラ１７を支持する両側の移動枠２２にそれぞれ設けられた押し当て部３９が固定受け止め体４０に突き当たることでスプリングＳの弾性力に抗して移動枠２２が支軸３８を基点としてローラー１７が支持される移動枠２２の上部を回動させ、対向する一対のローラー１７，１７を離間させることにより後部フイルムＦ２の挟着を開放するものである。本構成により後部フイルム挟持体１９は、水平移動機構２８により搬送方向へ所定距離移動した後その移動端部で後部フイルム挟持体１９による後部フイルムＦ２の挟持を開放するものである。
　【００４４】
　固定受け止め体４０は、ボルト等のネジ状部材からなり機台３５にネジ止め固定されており、前記押し当て部３９に当接するこの固定受け止め体４０のボルト先端の位置を調整することにより後部フイルム挟持体１９のローラ１７，１７の開き間隔を調整可能に設けている。
　【００４５】
　以下、本発明装置の動作説明を図１０から図１６の図面を基にして説明する。
　【００４６】
　被包装物１が搬入され、この被包装物１と同じ方向に移送されるフイルムＦを筒状に形成し底シールされてなる被包装物１入りのフイルムＦが切断位置であるカッタ機構６位置に搬入され、被包装物１間にフイルムＦが移送されると、サイドベルトコンベア１２が停止し、カッタ機構６が作動する。この時搬入されてくるフイルムＦは前方の被包装物１の前側フイルムＦ１が既に折り畳まれた状態となっている（図１０参照）。
　【００４７】
　切断刃１５及び押し込み板２０が同体的に下降すると、先ず切断刃１５がフイルムＦに当接し、フイルムＦが切断され、その後、更なる下降によって前後の押し込み板２０がフイルムに当接し、この切断されたフイルムＦからなる前部フイルムＦ１及び後部フイルムＦ２が前部フイルム挟持体１８及び後部フイルム挟持体１９のローラ１７，１７間に向けて案内され、スプリングＳの圧接力に抗して押し込まれる。（図１１参照）。
　【００４８】
　その後、切断刃１５及び前後の押し込み板２０が同体的に上昇し、前部フイルムＦ１及び後部フイルムＦ２のみが前部フイルム挟持体１８，後部フイルム挟持体１９に挟持された状態で残される（図１２参照）。
　【００４９】
　次に、水平移動機構２８の作動により停止状態にある被包装物１に対し、後部フイルム挟持体１９のみが搬送方向に移動する。このとき後部フイルム挟持体１９に備えられた前述した回転機構３３により、後部フイルム挟持体１９の水平移動に伴ってローラ１７が回転し、後部フイルムＦ２を被包装物１の下方に向けて引っ張りながら被包装物１の底面に沿わせて折り込みを行う（図１３参照）。
　【００５０】
　こうして後部フイルムＦ２の折込が容易に行えるとともに、後部フイルムＦ２を被包装物１の下方向に所定の力で引っ張りながら折込が行われるので、後部フイルムＦ２は被包装物１の後側から底面に沿って折込みが行われるので包装体Ｂの表面にフイルムＦの皺を発生させること無く包装体Ｂを形成することができる。
　【００５１】
　更に、折込み終了後にあっては、水平移動機構２８による後部フイルム挟持体１９を所定距離移動させた後、解放機構３７によって、後部フイルム挟持体１９の搬送側端部位置で、後部フイルム挟持体１９の対向するローラ１７，１７が離間することにより後部フイルムＦ２の挟持が開放される（図１４参照）。
　【００５２】
　続いてサイドベルトコンベア１２が駆動して被包装物１をフイルムＦとともに搬送すると、前部フイルム挟持体１８に前部フイルムＦ１を挟んだままの状態で後続の被包装物１が搬送されると、固定的に設けられた前部フイルム挟持体１８に対して被包装物１が搬送されるので前部フイルムＦ１は自然に被包装物１の底面に沿って折り込まれる。このとき前部フイルム挟持体１８に備えられた前述した回転機構２３により、被包装物１の搬送にともなってローラ１７が回転し前部フイルムＦ１を被包装物１の下方に向けて引っ張りながら被包装物１の底面に沿わせて折込を行う。また、前方の被包装物１は、前部フイルムＦ１，後部フイルムＦ２が折り畳まれた完成した包装体Ｂとして搬出機構８に向けて移送される。（図１５、図１６参照）
　【００５３】
　この搬送時、前方に位置する被包装物１において、たとえ、後部フイルム挟持体に挟持される後部フイルムが折込み状態や切断位置のバラツキによって時として若干長くなってしまった場合にあっても、この搬送側端部位置では、後部フイルムＦ２は後部フイルム挟着体１９から開放されており、ローラ１７，１７間から自由に抜け出すことができるので被包装物１の下面に一度折り込まれた後部フイルムＦ２が被包装物１の下面から離されることはなく、後部フイルムＦ２の端部が部分的にめくれ上がってしまうことも防止できる。
　【００５４】
　なお、本実施例にあっては、上部に切断刃１５及び押し込み板２０を設け、切断刃１５に対応する下部位置に受け板１６を設けてカッタ機構６を構成していたが、上部に受け板を設け、この受け板位置に対応する下部位置に切断刃を設けるものであってもよいし、前記受け板は切断刃の前後両方に設けるようにしてもよい。
　【００５５】
　また、水平移動機構２８の駆動方式は、カム板３１と作動杆３２とにより行っていたが、シリンダ装置等の往復移動機構を用いてもよい。
　【００５６】
　また、本実施例の解放機構３７は、後部フイルム挟持体１９の移動枠２２から一体的に設けられた押し当て部３９と、機台３５に設けられた固定受け止め体４０とにより構成され、水平移動機構２８の駆動力を利用して後部フイルム挟持体１９のローラ１７，１７を離間して開放するものであったが、後部フイルム挟持体１９に対し例えばシリンダ等の個別の駆動手段を設けて、後部フイルム挟持体１９が移送側終端部に来た時にこの駆動手段を作動させてローラ１７，１７間を離間させて開放するものであってもよい。
　【００５７】
　また、後部フイルム挟持体１９のローラ１７，１７が離間する位置は特に搬送側端部位置でなくともよく、端部側に近づく移動過程で所定距離引っ張り移動してから端部近くで一気に開放するようにしてもよいし、あるいは、移動過程で次第にスプリングのテンションを緩めるよう構成し、ローラ１７，１７を少しずつ開放することにより若干のフイルムテンションを保ちながらローラ１７，１７を開放するようにしてもよい。
　【００５８】
　また、本実施例の後部フイルム挟持体１９は一対のローラ１７，１７によるものを示したが、例えば、２枚の板状部材間にスプリングを掛け止めて弾性的に挟着，開放自在に設け、この板状部材間に後部フイルムＦ２を挟持するようなものであってもよい。
　【００５９】
　【発明の効果】
　以上、本発明によれば、一度折り込まれた後部フイルムが後部フイルム折込み後の被包装物の搬送によって被包装物の下面から離れてしまうことを防止することができ、後部フイルムの良好な折り曲げ状態を維持して仕上がりのきれいな包装体を形成することができる。
【図面の簡単な説明】
　【図１】
　本発明の一実施例の全体構成を示す側面図である。
　【図２】
　本発明の一実施例の全体構成を示す平面図である。
　【図３】
　本発明の一実施例のフイルム送り機構を示す斜視図である。
　【図４】
　本発明の一実施例のサイドベルトコンベア及びカッタ機構を示す正面図である。
　【図５】
　本発明の一実施例の要部を示す側面図である。
　【図６】
　本発明の一実施例の要部を示す側面図である。
　【図７】
　本発明の一実施例の前部フイルム挟持体を示す平面図である。
　【図８】
　本発明の一実施例の後部フイルム挟持体を示す平面図である。
　【図９】
　本発明の一実施例の後部フイルム挟持体を示す平面図である。
　【図１０】
　本発明の一実施例における作用を示す図である
　【図１１】
　本発明の一実施例における作用を示す図である
　【図１２】
　本発明の一実施例における作用を示す図である
　【図１３】
　本発明の一実施例における作用を示す図である
　【図１４】
　本発明の一実施例における作用を示す図である
　【図１５】
　本発明の一実施例における作用を示す図である
　【図１６】
　本発明の一実施例における作用を示す図である
　【符号の説明】
　　１　　　　　被包装物
　　２　　　　　搬入機構
　　３　　　　　フイルム送り機構
　　４　　　　　製袋機構
　　５　　　　　底シール機構
　　６　　　　　カッタ機構
　　７　　　　　折込機構
　　８　　　　　搬出機構
　１７　　　　　ローラ
　１８　　　　　前部フイルム挟持体
　１９　　　　　後部フイルム挟持体
　２０　　　　　押し込み板
　２８　　　　　水平移動機構
　３７　　　　　解放機構
　３９　　　　　押し当て部
　４０　　　　　固定受け止め体
　　Ｒ　　　　　フイルムロール
　　Ｆ　　　　　フイルム
　Ｆ１　　　　　前部フイルム
　Ｆ２　　　　　後部フイルム